(57)【要約】【課題】  部品点数の削減によるコストの低減及び組み立て作業や取り外し作業の迅速化を図ることができる合成樹脂製フェンスを提供する点にある。【解決手段】  ほぼ矩形状で合成樹脂でなるフェンス本体１の少なくとも左右両端の下部に合成樹脂でなる棒状体３を下方から挿入可能な下部凹部２を備え、該下部凹部２に前記棒状体３を下方から挿入して該挿入が完了することにより該下部凹部側に備えさせた被係止部１７に係止して該両者を係止保持する係止解除自在な係止部１８を該棒状体３に一体形成したことを特徴としている。【選択図】    図５
0003116016.tif 000002
【実用新案登録請求の範囲】
【請求項１】
ほぼ矩形状で合成樹脂でなるフェンス本体の少なくとも左右両端の下部に合成樹脂でなる棒状体を下方から挿入可能な下部凹部を備え、該下部凹部に前記棒状体を下方から挿入して該挿入が完了することにより該下部凹部側に備えさせた被係止部に係止して該両者を係止保持する係止解除自在な係止部を該棒状体に一体形成したことを特徴とする合成樹脂製フェンス。
【請求項２】
前記棒状体を筒状に構成し、前記被係止部を、前記下部凹部を構成する平面視ほぼ円形の側壁に形成した貫通孔から構成し、前記係止部を、前記棒状体の長手方向上側の特定部位にほぼ逆Ｕ字状又はほぼＵ字状に切り欠いて形成された片部にそれの表面から該棒状体の中心部から離間する側へ膨出させて、前記棒状体の挿入完了時に前記貫通孔に入り込んで係止する突起部から構成してなる請求項１記載の合成樹脂製フェンス。
【請求項３】
前記突起部が、前記棒状体のほぼ表面から挿入方向下手側ほど該棒状体の中心部から離間する側へ位置するテーパー面を備えたガイド部を備えたものでなる請求項２記載の合成樹脂製フェンス。
【請求項４】
フェンス本体の少なくとも左右両端の上部に、前記棒状体を上方から挿入可能な上部凹部を備え、複数の前記フェンス本体を左右方向にほぼ隙間なく並べた状態において隣り合うフェンス本体の突き合わせ端に位置する２つの前記上部凹部に同時に入り込んで両者を連結するための連結解除自在な連結具を備えてなる請求項１〜３のいずれかに記載の合成樹脂製フェンス。
【請求項５】
前記係止部を前記棒状体の周壁の特定２箇所に備えさせ、それら２つの係止部のうち、一方の係止部から該棒状体の中心を通る延長線上に位置する周壁部分に他方の係止部を配置してなる請求項１〜４のいずれかに記載の合成樹脂製フェンス。
【考案の詳細な説明】
【技術分野】
【０００１】
本考案は、主として工事現場や道路などで使用する他、家庭においても使用することができる合成樹脂製フェンスに関する。
【背景技術】
【０００２】
上記合成樹脂製フェンスは、軽量化を図る目的で作製され、フェンス本体と、このフェンス本体の左右両端に形成の嵌合用凹部に抜き差し自在な棒状の脚部とを備え、フェンス本体に差し込まれた左右一対の脚部の下側部分を支持台に形成の支持孔に差し込むことで、合成樹脂製フェンスを起立した状態で保持する（立設する）ことができるようになっている。そして、前記脚部をフェンス本体に差し込んでから不測に抜けることがないようにするための固定手段として、フェンス本体の貫通孔から脚部の貫通孔を通してから再びフェンス本体の貫通孔に貫通するピンとこの貫通してフェンス本体の外部に突出したピンの先端に装着する抜け止め部材とから構成したものが提案されている（例えば、特許文献１参照）。
【特許文献１】特開２００４−２１１５３６号公報（図５、図６、図８参照）
【考案の開示】
【考案が解決しようとする課題】
【０００３】
上記合成樹脂製フェンスでは、特に脚部の破損時などにおいて、脚部を取り外して新しい脚部に取り付けることになるが、特許文献１の構成によれば、抜け止め部材を外した後、ピンを抜いてからでないと脚部をフェンス本体から取り外すことができない。又、新しい脚部を取り付ける場合には、ピンをフェンス本体及び脚部に貫通させてから抜け止め部材を装着しなければならない。つまり、ピンの抜き差し操作と抜け止め部材の着脱操作の２つの操作を必要とするため、脚部の取り替え作業が手間のかかる煩わしいものであった。
又、ピンと抜け止め部材を脚部の個数分必要とするため、在庫管理やコストの面において不利になる不都合があった。又、脚部を取り外してフェンス本体、脚部を保管しているときに、ピンと抜け止め部材をなくしてしまうと、再度取り付けて組み立てることができなくなることがあり、それら部品を余分に備えておかなければならず、さらにコストの面において不利になることがあった。
【０００４】
本考案が前述の状況に鑑み、解決しようとするところは、部品点数の削減によるコストの低減及び組み立て作業や取り外し作業の迅速化を図ることができる合成樹脂製フェンスを提供する点にある。
【課題を解決するための手段】
【０００５】
本考案の合成樹脂製フェンスは、前述の課題解決のために、ほぼ矩形状で合成樹脂でなるフェンス本体の少なくとも左右両端の下部に合成樹脂でなる棒状体を下方から挿入可能な下部凹部を備え、該下部凹部に前記棒状体を下方から挿入して該挿入が完了することにより該下部凹部側に備えさせた被係止部に係止して該両者を係止保持する係止解除自在な係止部を該棒状体に一体形成したことを特徴としている。
従って、棒状体を下部凹部に挿入するだけで、棒状体の係止部が下部凹部側に備えさせた被係止部に係止して両者を係止保持することができる。フェンス本体に係止保持状態の棒状体を取り外す場合には、係止部を係止解除することによって、棒状体をフェンス本体から取り外すことができる。しかも、係止部を棒状体に一体形成することによって、部品点数の削減化を図ることができる。
【０００６】
前記棒状体を筒状に構成し、前記被係止部を、前記下部凹部を構成する平面視ほぼ円形の側壁に形成した貫通孔から構成し、前記係止部を、前記棒状体の長手方向上側の特定部位にほぼ逆Ｕ字状又はほぼＵ字状に切り欠いて形成された片部にそれの表面から該棒状体の中心部から離間する側へ膨出させて、前記棒状体の挿入完了時に前記貫通孔に入り込んで係止する突起部から構成してもよい。
【０００７】
前記突起部が、前記棒状体のほぼ表面から挿入方向下手側ほど該棒状体の中心部から離間する側へ位置するテーパー面を備えたガイド部を備えたものであってもよい。
【０００８】
フェンス本体の少なくとも左右両端の上部に、前記棒状体を上方から挿入可能な上部凹部を備えさせ、複数の前記フェンス本体を左右方向にほぼ隙間なく併設した状態において隣り合うフェンス本体の突き合わせ端に位置する２つの前記上部凹部に同時に入り込んで両者を連結するための連結具を備えてもよい。
【０００９】
前記係止部を前記棒状体の周壁の特定２箇所に備えさせ、それら２つの係止部のうち、一方の係止部から該棒状体の中心を通る延長線上に位置する周壁部分に他方の係止部を配置してもよい。
【考案の効果】
【００１０】
ほぼ矩形状で合成樹脂でなるフェンス本体の少なくとも左右両端の下部に形成した下部凹部に下方から上側部分を挿入して下方に突出している下側部分を支持台の支持孔に差し込んで該フェンス本体を立設可能とするための合成樹脂でなる棒状体を備え、前記下部凹部に前記棒状体を下方から挿入して該挿入が完了することにより該下部凹部側に備えさせた被係止部に係止して該両者を係止保持する係止解除自在な係止部を該棒状体に一体形成することによって、リブにてフェンス本体の保形強度を高めることができながらも、軽量化を図ることができ、しかも、棒状体を下部凹部に挿入するだけで、棒状体をフェンス本体に係止により固定することができ、又、係止解除するだけで、棒状体をフェンス本体から迅速に取り外すことができるから、フェンスの組み立て作業（フェンス本体への棒状体の取り付け作業）及び棒状体の取り外し作業を迅速に行うことができ、作業性のよい合成樹脂製フェンスを提供することができる。さらには、係止部を棒状体に一体形成することによって、部品点数の削減化を図ることができ、コスト面においても有利になる。
【００１１】
突起部が、前記棒状体のほぼ表面から挿入方向下手側ほど該棒状体の中心部から離間する側へ位置するテーパー面を備えたガイド部を備えたもので構成した場合には、フェンス本体の下部凹部に棒状体を挿入する場合に、テーパー面によって、被係止部に小さな操作力でスムーズに係止部を係止させることができ、操作性において優れたものにすることができる。又、棒状体を回転させることによって、テーパー面を利用してガイド部を棒状体内部に押し込んで係止解除状態にすることができ、棒状体を回転させた後、下方へ引き抜くだけで棒状体を取り外すことができる。又、棒状体が破損して、回転させることができない場合でも、突起部を内部に指などにより強制的に押し込むことにより、係止解除状態にして下方へ引き抜くことができる。
【００１２】
フェンス本体の少なくとも左右両端の上部に、棒状体を上方から挿入可能な上部凹部を備えさせ、複数のフェンス本体を左右方向にほぼ隙間なく併設した状態において隣り合うフェンス本体の突き合わせ端に位置する２つの上部凹部に同時に入り込んで両者を連結するための連結具を備えさせることによって、上下がどちらでもよいフェンス本体の場合には、上部凹部及び下部凹部のいずれかに棒状体を差し込んでフェンス本体を立設させてもよく、フェンス本体の上下関係を確認することなく、立設作業を迅速に行うことができる。しかも、隣り合うフェンス本体同士の間に不測に隙間が発生することを確実に回避することができるだけでなく、フェンス同士を連結して一体化することにより、フェンス全体の強度アップを図ることができる。
【００１３】
係止部を棒状体の周壁の特定２箇所に備えさせ、それら２つの係止部のうち、一方の係止部から棒状体の中心を通る延長線上に位置する周壁部分に他方の係止部を配置することによって、係止を１箇所で行うものに比べて確実に係止することができ、信頼性の高いものにすることができる。
【考案を実施するための最良の形態】
【００１４】
図１に、３つの合成樹脂製のフェンス本体１を立設させてフェンスを構成するとともに各フェンスの左右端同士を突き合わせて連結した状態を示している。各フェンス本体１は、それの左右両端の下部に形成した平面視ほぼ円形の側壁からなる下部凹部２，２（図３（ｂ）及び図５参照）に下方から挿入して下方に突出している合成樹脂製の棒状体３，３の下側部分を支持台４，４の支持孔５，５に差し込むことにより、立設できるようになっている。前記支持台４には、左右一対の支持孔５，５を備えさせてあり、左右方向で隣り合う２つのフェンス本体１，１の突き合わせ端側に備えさせた棒状体３，３を差し込むことができるようになっているが、一本の棒状体３のみを差し込むことができる１個の支持孔を備えた支持台であってもよい。又、左右方向に複数のフェンス本体１を連結して使用する他、フェンス本体１を連結しないで使用してもよい。
【００１５】
前記フェンス本体１は、図１及び図２に示すように、左右方向での少なくとも半分以上の部分、つまり上下方向中央位置よりも下側の位置から上部にかけて左右にそれぞれ振り分けて、上下方向に対してほぼ４５度の角度で左右にそれぞれ傾斜した多数の斜めリブ６，７が交差して多数の貫通孔８を形成してなる左右一対の網目部９，９を備えている。又、フェンス本体１の外周縁には、４つのリブにて矩形状の閉ループ１０が外周方向に沿って隙間の無い状態で多数形成されてなる矩形状の外周補強部１１が備えてあり、保形強度を高めることができるようにしている。又、前記左右一対の網目部９，９間及び該網目部９，９とこれの下側に配置されるパネル板部１２との間にも、４つのリブにて矩形状の閉ループ１３，１４が隙間の無い状態で多数形成されてなる直線状の縦補強部１５及び横補強部１６が形成されており、保形強度を更に高めるようにしているが、無くてもよい。ここでは、より一層の軽量化を図るために、網目部９，９を備えたものを示したが、網目部９，９の無いフェンス本体１であってもよい。
【００１６】
前記棒状体３について詳述すれば、図４（ａ），（ｂ）〜図７（ａ），（ｂ）に示すように、上下が開口されたほぼ円筒状に形成され、平面視ほぼ円形に形成された前記下部凹部２に前記棒状体３を下方から挿入して該挿入が完了することにより該下部凹部２側に備えさせた被係止部としての前後一対の貫通孔１７，１７に係止して該両者を係止保持する係止解除自在な一対の係止部１８，１８を該棒状体３に一体形成している。前記棒状体３を形に形成された前記下部凹部２に挿入した状態で上下軸芯周りで回転させる際に、滑り止め用の縦長状の突出部３Ａを外面の周方向４箇所に一体形成している。前記貫通孔１７，１７は、前記下部凹部２を構成するほぼ円筒状の側壁に形成されている。
【００１７】
前記係止部１８，１８を、前記棒状体３の長手方向上側の特定部位にほぼ逆Ｕ字状（ほぼＵ字状でもよい）に切り欠いて形成された片部１８Ａと、その片部１８Ａにそれの表面から該棒状体３の中心部から離間する側へ膨出させた正面視ほぼ円形の突起部１８Ｂとから構成している。
【００１８】
前記突起部１８Ｂが、前記棒状体３のほぼ表面から挿入方向下手側ほど該棒状体３の中心部から離間する側へ位置するテーパー面１８Ｃを備えたガイド部と、このガイド部の挿入方向下手側端部に前記貫通孔１７を形成するほぼ円形の周縁と接当するべく、円弧状に形成された円弧面１８Ｄを備えた接当部とを備えている。図に示す１８Ｅは、前記テーパー面１８Ｃの下端から垂直に形成された垂直面である。
従って、棒状体３を下部凹部２に挿入するだけで、棒状体３の係止部１８，１８が下部凹部側に備えさせた貫通孔１７，１７に係止して両者を係止保持することができる。又、フェンス本体１に係止保持状態の棒状体３を取り外す場合には、棒状体３をそれの長手方向（図では上下方向）の軸芯周りで図４（ｂ）で示す矢印Ｈ方向（矢印とは反対方向であってもよい）へ回転させることによって、テーパー面１８Ｃを利用してガイド部を棒状体内部に自ずと押し込んで係止解除状態にすることができ、棒状体３を回転させた後、下方へ引き抜くだけで棒状体３を取り外すことができる。又、棒状体３が破損して、回転させることができない場合でも、突起部１８Ｂを内部に指などにより強制的に押し込むことにより、係止解除状態にして下方へ引き抜くことができる。
【００１９】
フェンス本体１の少なくとも左右両端（他の部分、例えば左右中央でもよい）の上部に、前記棒状体３を上方から挿入可能な上部凹部１９，１９を備えさせ、図１に示すように、複数の前記フェンス本体１，１を左右方向にほぼ隙間なく併設した状態において隣り合うフェンス本体１，１の突き合わせ端に位置する２つの前記上部凹部１９，１９に同時に入り込んで両者を連結するための連結具２０を備えても実施してもよい。前記フェンス本体１が上下を逆にして立設させてもよいものであれば、上部凹部１９，１９に棒状体３，３を差し込んで、上部側を下部側として立設するようにしてもよい。
前記連結具２０は、前記上部凹部１９，１９に挿入可能なパイプ部２０Ａ，２０Ａと、これらパイプ部２０Ａ，２０Ａの上端を連結する連結板部２０Ｂとからなっているが、他の構成であってもよい。
【００２０】
前記係止部１８を前記棒状体３の周壁の特定２箇所に備えさせ、それら２つの係止部１８，１８のうち、一方の係止部１８から該棒状体３の中心を通る延長線上に位置する周壁部分に他方の係止部１８を配置したが、係止部の個数及び形成する位置はどのように変更してもよい。
【図面の簡単な説明】
【００２１】
【図１】３つのフェンスを左右方向に併設した状態を示し、一部を省略した正面図である。
【図２】フェンス本体の正面図である。
【図３】（ａ）は図２における■−■線断面図、（ｂ）は図２における■■−■■線断面図である。
【図４】（ａ）は棒状体をフェンス本体に差し込む直前の状態を示し、一部を省略した斜視図、（ｂ）はフェンス本体に棒状体を差し込んだ状態を示し、一部を省略した斜視図である。
【図５】棒状体の挿入部分を示す縦断面図である。
【図６】棒状体を示し、（ａ）はそれの正面図、（ｂ）はそれの斜視図である。
【図７】（ａ）は図６（ａ）における■■■−■■■線断面図、（ｂ）は図６（ａ）における■■−■■線断面図である。
【符号の説明】
【００２２】
１  フェンス本体
２  下部凹部
３Ａ  突出部
３  棒状体
４  支持台
５  支持孔
６，７  リブ
８  貫通孔
９  網目部
１０  閉ループ
１１  外周補強部
１２  パネル板部
１３，１４  閉ループ
１５  縦補強部
１６  横補強部
１７  貫通孔
１８Ｃ  テーパー面
１８Ｄ  円弧面
１８  係止部
１８Ｂ  突起部
１８Ａ  片部
１９  上部凹部
２０  連結具
２０Ｂ  連結板部
２０Ａ  パイプ部
Ｈ  矢印
【図１】
0003116016.tif 000003
【図２】
0003116016.tif 000004
【図３】
0003116016.tif 000005
【図４】
0003116016.tif 000006
【図５】
0003116016.tif 000007
【図６】
0003116016.tif 000008
【図７】
0003116016.tif 000009